(57)【要約】      （修正有）【課題】会議等のイベントで、参加者が注目している画像をより正確に特定する。【解決手段】コンテンツ管理サーバは、イベントで使用されたコンテンツのうち、イベントの参加者が個人端末に取り込むためにキャプチャすることで得たキャプチャ画像を管理する個人コンテンツ管理を有し、所定の情報処理端末に対して、キャプチャ画像を特定するための特定情報（キャプチャ画像のサムネイル等）を送信する。【効果】これにより、情報処理端末では参加者がキャプチャした画像を把握することができるため、より正確に参加者が注目している画像を特定できる。【選択図】図２０
2020109954.tif 000002
【特許請求の範囲】
【請求項１】
イベントで使用するコンテンツを管理するコンテンツ管理サーバであって、
前記イベントの参加者が個人端末に取り込むためにキャプチャすることで得た前記コンテンツのキャプチャ画像を管理する個人コンテンツ管理手段と、
所定の情報処理端末に対して、前記キャプチャ画像を特定するための特定情報を送信する送信手段と、
を有することを特徴とするコンテンツ管理サーバ。
【請求項２】
請求項１に記載のコンテンツ管理サーバであって、
前記特定情報として前記キャプチャ画像のサムネイルを作成する作成手段を有することを特徴とするコンテンツ管理サーバ。
【請求項３】
前記個人コンテンツ管理手段は、前記イベントを識別するためのイベント識別情報毎に、前記キャプチャ画像を関連付けて管理し、
請求項１又は２に記載のコンテンツ管理サーバは、
前記イベント識別情報毎に、当該イベント識別情報を含むイベントに関するイベント情報を管理するイベント情報管理手段と、
前記所定の情報処理端末に対して、前記イベント情報を送信する送信手段と、
前記所定の情報処理端末で指定されたイベントを識別するための特定のイベント識別情報を受信する受信手段と、を有し、
前記所定の情報処理端末に対して、前記個人コンテンツ管理手段において前記特定のイベント情報に関連付けられているキャプチャ画像を特定するための前記特定情報を送信することを特徴とするコンテンツ管理サーバ。
【請求項４】
前記情報処理端末は、前記イベントの主催者の個人端末であることを特徴とする請求項１乃至３のいずれか一項に記載のコンテンツ管理サーバ。
【請求項５】
請求項１に記載のコンテンツ管理サーバであって、
前記イベントの複数の参加者によって、同一の前記コンテンツのキャプチャされた回数を判断する判断手段を有し、
前記送信手段は、前記特定情報に前記キャプチャされた回数を対応付けて前記情報処理端末に対して送信することを特徴とするコンテンツ管理サーバ。
【請求項６】
請求項１に記載のコンテンツ管理サーバであって、
前記送信手段は、
前記所定の情報処理端末で参加者の指定を受け付けたとき、前記個人コンテンツ管理手段によって管理されたキャプチャ画像のうち、指定された前記参加者がキャプチャした前記キャプチャ画像の前記特定情報を送信することを特徴とするコンテンツ管理サーバ。
【請求項７】
請求項１乃至６のいずれか一項に記載のコンテンツ管理サーバと、
前記情報処理端末と、
を有することを特徴とする情報共有システム。
【請求項８】
イベントで使用するコンテンツを管理するコンテンツ管理サーバが実行する通信方法であって、
コンテンツ管理サーバは、前記イベントの参加者が個人端末に取り込むためにキャプチャすることで得た前記コンテンツのキャプチャ画像を管理する個人コンテンツ管理手段を有し、
コンテンツ管理サーバは、所定の情報処理端末に対して、前記キャプチャ画像を特定するための特定情報を送信する送信ステップを実行することを特徴とする通信方法。
【請求項９】
コンピュータに、請求項８に記載の方法を実行させるためのプログラム。
【発明の詳細な説明】
【技術分野】
【０００１】
本開示内容は、通信ネットワークを介してコンテンツを共用する発明に関する。
【背景技術】
【０００２】
近年、働き方改革を促進するため、ICT（情報通信技術）を活用した場所や時間にとらわれない柔軟な働き方であるテレワークが行われるようになった。また、テレワークを行う場合であっても複数拠点で会議や打合せを行うことができるように、通信ネットワークを介して会議等の資料を共用（又は共有）したり、ビデオ会議が行われたりしている。この場合、サーバによって仮想のルーム(Room)が作成され、この仮想のルームに参加した各利用者が、資料を共用（又は共有）することで、できるだけ現実の会議室に近づけた会議を行うことができる（特許文献１参照）。
【０００３】
また、従来、会議等のイベントの主催者が複数の画像（ページ）を表示しながら話す際に、カメラで各参加者を撮影しておき、参加者が向く方向や参加者の顔の表情に基づいて、参加者が注目した画像を推測する方法がある（特許文献２参照）。
【発明の概要】
【発明が解決しようとする課題】
【０００４】
しかしながら、従来の方法では、あくまでも参加者が注目した画像を推測しているため、正確に参加者が注目している画像を特定することはできないという課題が生じる。
【課題を解決するための手段】
【０００５】
請求項１に係る発明は、イベントで使用するコンテンツを管理するコンテンツ管理サーバであって、前記イベントの参加者が個人端末に取り込むためにキャプチャすることで得た前記コンテンツのキャプチャ画像を管理する個人コンテンツ管理手段と、所定の情報処理端末に対して、前記キャプチャ画像を特定するための特定情報を送信する送信手段と、を有することを特徴とするコンテンツ管理サーバである。
【発明の効果】
【０００６】
本発明によれば、参加者が注目している画像をより正確に特定することができるという効果を奏する。
【図面の簡単な説明】
【０００７】
【図１】情報共用システムの全体概念図である。
【図２】情報共用システムを構成する各端末及びサーバのハードウェア構成図である。
【図３】情報共有システムを構成する各端末及びサーバの機能ブロック図である。
【図４】（ａ）は個人コンテンツ管理テーブルの概念図、（ｂ）は共用コンテンツ管理テーブルの概念図、（ｃ）はイベント情報管理テーブルの概念図である。
【図５】個人電子キャンパス表示用の操作表示領域の表示例を示した図である。
【図６】共用電子キャンパス表示用の操作表示領域の表示例を示した図である。
【図７】共有電子スクリーン表示用の操作表示領域の表示例を示した図である。
【図８】個人電子キャンパス表示用の操作表示領域上のキャプチャボタンの押下により、共有電子スクリーンのコンテンツを個人電子キャンパスに取り込む処理を示した概念図である。
【図９】共用電子キャンパス表示用の操作表示領域上のキャプチャボタンの押下により、共有電子スクリーンのコンテンツを共用電子キャンパスに取り込む処理を示した概念図である。
【図１０】共有電子スクリーン表示用の操作表示領域上のキャプチャボタンの押下により、共有電子スクリーンのコンテンツを共用電子キャンパスに取り込む処理を示した概念図である。
【図１１】コンテンツの入力及び表示の処理を示したシーケンス図である。
【図１２】個人電子キャンパス表示用の操作表示領域上のキャプチャボタンの押下により、共有電子スクリーンのコンテンツを個人電子キャンパスに取り込む処理を示したシーケンス図である。
【図１３】画面キャプチャ処理を示したフローチャートである。
【図１４】コンテンツのデータの記憶処理を示したフローチャートである。
【図１５】共用電子キャンパス表示用の操作表示領域上のキャプチャボタンの押下により、共有電子スクリーンのコンテンツを共用電子キャンパスに取り込む処理を示したシーケンス図である。
【図１６】共有電子スクリーン表示用の操作表示領域上のキャプチャボタンの押下により、共有電子スクリーンのコンテンツを共用電子キャンパスに取り込む処理を示したシーケンス図である。
【図１７】イベント詳細情報を表示するための処理を示したシーケンス図である。
【図１８】イベント詳細情報の作成処理を示したフローチャートである。
【図１９】イベント情報画面の表示例を示した図である。
【図２０】イベント詳細情報画面の表示例を示した図である。
【発明を実施するための形態】
【０００８】
図１乃至図２０を用いて、本発明の一の実施形態について説明する。
【０００９】
＜情報共用システムの全体概念＞
まず、図１を用いて、情報共用システムの全体概念について説明する。図１は、情報共用システムの全体概念図である。ここでは、会社の会議室Ｘにいる利用者Ａ，Ｂと、自宅Ｙにいる利用者Ｃが、情報共用システムを利用して遠隔会議を行っている状態が示されている。会議室Ｘには、利用者Ａが個人端末２ａを持ち込み、利用者Ｂが個人端末２ｂを持ち込んでいる。また、会議室Ｘには、複数の利用者が共用可能な共用端末４が設置されている。一方、自宅Ｙには、利用者Ｃが個人端末２ｃを持ち込んでいる。なお、以下、個人端末２ａ，２ｂ，２ｃの総称を示す場合には、「個人端末２」と記す。
【００１０】
各個人端末２は、利用者がそれぞれ個別に（専用に）使用及び画面の閲覧が可能なコンピュータである。共用端末４は、複数の利用者が共同で、使用及び画面の閲覧が可能なコンピュータである。個人端末２及び共用端末４は、例えば、タブレット端末、スマートフォン、PC(Personal Computer)、PDA(Personal Digital Assistant)、スマートウォッチ、電子黒板、デジタルテレビ、ゲーム機器、コピー機能を備えたＭＦＰ(Multifunction Peripheral)カーナビゲーション装置等である。なお、個人端末２及び共用端末４は、通信端末（又は情報処理端末）の一例である。
【００１１】
各個人端末２及び共用端末４は、インターネット等の通信ネットワーク９を介してコンテンツ管理サーバ６と通信することができる。通信ネットワーク９は、ファイヤウォールの内側にある１つ以上のＬＡＮ(Local Area Network)でもよいし、ＬＡＮに加えてファイヤウォールの外側にあるインターネットを含んでもよい。この他、ＶＰＮ（Virtual Private Network）や広域イーサネット（登録商標）が含まれていてもよい。通信ネットワーク９は有線又は無線のどちらで構築されてもよく、また、有線と無線が組み合わされていてもよい。また、３Ｇ、ＬＴＥ（Long Term Evolution）、４Ｇなどの携帯電話網により接続される場合、ＬＡＮはなくてもよい。
【００１２】
コンテンツ管理サーバ６は、個人端末２及び共用端末４に対して送信するコンテンツのデータを記憶及び管理しているウェブ(Web)サーバ（又はHTTPサーバ）としての機能を有するコンピュータである。コンテンツ管理サーバ６は、後述の記憶部６０００を備えており、記憶部６０００には各個人端末２からしかアクセスできない個人電子キャンパスを実現するための記憶位置（又は記憶領域）が構築されている。具体的には、個人電子キャンパスｄｃ１，ｄｃ２，ｄｃ３には、それぞれ個人端末２ａ，２ｂ，２ｃしかアクセスできない。なお、以下、個人電子キャンパスｄｃ１，ｄｃ２，ｄｃ３の総称を示す場合には、「個人電子キャンパスｄｃ」と記す。
【００１３】
また、コンテンツ管理サーバ６は、クラウドコンピューティングに対応していてもよい。クラウドコンピューティングとは、特定ハードウェア資源が意識されずにネットワーク上のリソースが利用される利用形態をいう。
【００１４】
また、コンテンツ管理サーバ６の記憶部６０００には、各個人端末２からアクセスできる共用電子キャンパスｃｃを実現するための記憶位置（又は記憶領域）が構築されている。更に、コンテンツ管理サーバ６の記憶部６０００には、各個人端末２からアクセスできる共有電子スクリーンｓｓを実現するための記憶位置（又は記憶領域）が構築されている。
【００１５】
「電子キャンパス」は、平織りで織られた厚手の布ではなく、コンテンツ管理サーバ６の記憶部６０００の記憶位置（又は記憶領域）に作成される仮想的なスペースである。電子キャンパスに対しては、例えば、Canvas要素とJavaScript（登録商標）等によって、コンテンツを閲覧及び編集することができる機能を備えている電子キャンパス用のウェブアプリによってアクセスすることができる。ウェブアプリは、ウェブブラウザアプリ上で動作するスクリプト言語（例えば、JavaScript（登録商標））によるプログラムとウエブサーバ側のプログラムが協調することによって動作し、ウェブブラウザ上で使用されるソフトウェア又はその仕組みを示す。個人電子キャンパス、及び共用電子キャンパスは、記憶部６０００の記憶領域の範囲で無限の領域を有している。
【００１６】
また、「電子スクリーン」は、映画やスライド画像などを映して見るための白い幕ではなく、コンテンツ管理サーバ６の記憶部６０００の記憶位置（又は記憶領域）に作成される仮想的なスペースである。この電子スクリーンは、電子キャンパスと異なり、単に個人端末２や共用端末４に送信（配信）するコンテンツのデータを保持しておき、次のコンテンツを取得するまで前のコンテンツを保持する機能を備えている。電子スクリーンに対しては、コンテンツを閲覧することができる機能を備えている電子スクリーン用のウェブアプリによってアクセスすることができる。
【００１７】
更に、「個人電子キャンパス」は、遠隔会議に参加している利用者の各個人専用の電子的なスペースであり、各利用者の個人端末２は、各個人電子キャンパスに対してのみアクセスでき、文字や画像等のコンテンツの閲覧及び編集（入力、削除、コピー等）を行うことができる。「共用電子キャンパス」は、遠隔会議に参加している各利用者の共用の電子的なスペースであり、各利用者の個人端末２は、いずれも共用電子キャンパスに対してアクセスでき、文字や画像等のコンテンツの閲覧及び編集（入力、削除、コピー等）を行うことができる。
【００１８】
「共有電子スクリーン」は、遠隔会議に参加している各利用者の共有の電子的なスペースであり、各利用者の個人端末２は、いずれも共有電子スクリーンに対してアクセスできて、共有電子スクリーンに保持されている共有画面を閲覧できる。但し、共有電子スクリーンは、個人電子キャンパス及び共用電子キャンパスと異なり、単に個人端末２や共用端末４に送信（配信）するコンテンツのデータを保持しておき、次のコンテンツを取得するまで前のコンテンツを保持する機能を備えている。例えば、個人端末２ａから共有電子スクリーンｓｓにコンテンツのデータを送信した後、個人端末２ｂから共有電子スクリーンｓｓにコンテンツのデータを送信すると、共有電子スクリーンｓｓが保持するコンテンツのデータは、直近に受信したデータとなる。
【００１９】
コンテンツ管理サーバ６は、仮想ルームごとに、共有電子スクリーンｓｓ、共用電子キャンパスｃｃ、及び個人電子キャンパスｄｃに展開されるコンテンツ等の情報を対応付けて管理している。これにより、コンテンツ管理サーバ６では、複数の仮想ルームを管理していても、異なる仮想ルーム間でコンテンツのデータの通信が行われることはない。
【００２０】
各個人端末２は、各自端末に搭載されたウェブブラウザの上記ウェブアプリによって、個人電子キャンパスｄｃ、共用電子キャンパスｃｃ、及び共有電子スクリーンｓｓのコンテンツを表示させることができる。
【００２１】
なお、図１では、２つの拠点（会議室Ｘ、自宅Ｙ）で遠隔会議をする場合を示しているが、これに限るものではない。例えば、１拠点のみの会議、又は３拠点以上での遠隔会議をしてもよい。
【００２２】
＜ハードウェア構成＞
図２を用いて、情報共用システムを構成する各端末及びサーバのハードウェア構成について説明する。図２は、情報共用システムを構成する各端末及びサーバのハードウェア構成図である。
【００２３】
＜＜個人端末のハードウェア構成＞＞
図２に示されているように、個人端末２は、ＣＰＵ(Central Processing Unit)２０１、ＲＯＭ(Read Only Memory)２０２、ＲＡＭ(Random Access Memory)２０３、ＨＤ(Hard Disk)２０４、ＨＤＤ(Hard Disk Drive)コントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷ(Compact Disc-ReWritable)ドライブ２１４、及び、バスライン２２０を備えている。
【００２４】
これらのうち、ＣＰＵ２０１は、個人端末２全体の動作を制御する。ＲＯＭ２０２は、ＣＰＵ２０１の駆動に用いられるプログラムを記憶する。ＲＡＭ２０３は、ＣＰＵ２０１のワークエリアとして使用される。ＨＤ２０４は、プログラム等の各種データを記憶する。ＨＤＤコントローラ２０５は、ＣＰＵ２０１の制御にしたがってＨＤ２０４に対する各種データの読み出し又は書き込みを制御する。メディアＩ／Ｆ２０７は、フラッシュメモリ等の記録メディア２０６に対するデータの読み出し又は書き込み（記憶）を制御する。ディスプレイ２０８は、カーソル、メニュー、ウィンドウ、文字、又は画像などの各種情報を表示する。タッチパネル２０９は、利用者がディスプレイ２０８を押下することで、個人端末２を操作する入力手段の一種である。ネットワークＩ／Ｆ２１０は、通信ネットワーク９を利用してデータ通信をするためのインターフェースである。キーボード２１１は、文字、数値、各種指示などの入力のための複数のキーを備えた入力手段の一種である。マウス２１２は、各種指示の選択や実行、処理対象の選択、カーソルの移動などを行う入力手段の一種である。ＣＤ−ＲＷドライブ２１４は、着脱可能な記録媒体の一例としてのＣＤ−ＲＷ２１３に対する各種データの読み出し又は書き込みを制御する。
【００２５】
なお、個人端末２が利用者と対話可能であれば、ディスプレイ２０８、タッチパネル２０９、キーボード２１１、又はマウス２１２は、個人端末２とは別に設けられてもよい。
【００２６】
＜＜コンテンツ管理サーバのハードウェア構成＞＞
また、共用端末４は、ＣＰＵ４０１、ＲＯＭ４０２、ＲＡＭ４０３、ＨＤ４０４、ＨＤＤコントローラ４０５、記録メディア４０６、メディアＩ／Ｆ４０７、ディスプレイ４０８、タッチパネル４０９、ネットワークＩ／Ｆ４１０、キーボード４１１、マウス４１２、ＣＤ−ＲＷドライブ４１４、及び、バスライン４２０を備えている。これらは、それぞれ上述の構成（ＣＰＵ２０１、ＲＯＭ２０２、ＲＡＭ２０３、ＨＤ２０４、ＨＤＤコントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷドライブ２１４、及び、バスライン２２０）と同様の構成であるため、これらの説明を省略する。
【００２７】
また、コンテンツ管理サーバ６は、ＣＰＵ６０１、ＲＯＭ６０２、ＲＡＭ６０３、ＨＤ６０４、ＨＤＤコントローラ６０５、記録メディア６０６、メディアＩ／Ｆ６０７、ディスプレイ６０８、タッチパネル６０９、ネットワークＩ／Ｆ６１０、キーボード６１１、マウス６１２、ＣＤ−ＲＷドライブ６１４、及び、バスライン６２０を備えている。これらは、それぞれ上述の構成（ＣＰＵ２０１、ＲＯＭ２０２、ＲＡＭ２０３、ＨＤ２０４、ＨＤＤコントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷドライブ２１４、及び、バスライン２２０）と同様の構成であるため、これらの説明を省略する。なお、コンテンツ管理サーバ６は、タッチパネル６０９を備えていなくてもよい。
【００２８】
また、ＣＤ−ＲＷドライブではなく、ＤＶＤ−Ｒドライブ等であってもよい。また、個人端末２、共用端末４、及びコンテンツ管理サーバ６は、それぞれ単一のコンピュータによって構築されてもよいし、各部（機能、手段、又は記憶部）を分割して任意に割り当てられた複数のコンピュータによって構築されていてもよい。
【００２９】
＜機能構成＞
図３を用いて、情報共用システムを構成する各端末及びサーバの機能構成について説明する。図３は、情報共有システムを構成する各端末及びサーバの機能ブロック図である。
【００３０】
＜＜個人端末の機能構成＞＞
まずは、個人端末２ａの機能構成について説明する。図３に示されているように、個人端末２ａは、送受信部２１ａ、受付部２２ａ、画像処理部２３ａ、表示制御部２４ａ、判断部２５ａ、記憶・読出処理部２９ａ、及び通信管理部３０ａを有している。これら各部は、図２に示されている各構成要素のいずれかが、ＨＤ２０４からＲＡＭ２０３上に展開されたプログラムに従ったＣＰＵ２０１からの命令によって動作することで実現される機能、又は機能する手段である。また、個人端末２ａは、図２に示されているＲＡＭ２０３及びＨＤ２０４によって構築される記憶部２０００ａを有している。
【００３１】
なお、送受信部２１ａ、受付部２２ａ、画像処理部２３ａ、表示制御部２４ａ、判断部２５ａ、及び記憶・読出処理部２９ａは、後述の操作表示領域を表示させるウェブブラウザ（のウェブアプリケーション）によって実現される。また、通信管理部３０ａは、専用の通信アプリケーションによって実現される。
【００３２】
（個人コンテンツ管理ＤＢ）
図４（ａ）は個人コンテンツ管理テーブルの概念図である。個人端末２ａの記憶部２０００ａには、図４（ａ）に示されているような個人コンテンツ管理テーブルによって構成されている個人コンテンツ管理ＤＢ２００１ａが構築されている。なお、個人コンテンツ管理ＤＢ２００１ａは、ウェブブラウザの表示対象である個人電子キャンパス（ＵＲＬ）毎に、ウェブブラウザのキャッシュに作成されているため、ウェブブラウザが起動している間だけ存在する。
【００３３】
個人コンテンツ管理テーブルで管理されているデータは、コンテンツ管理サーバ６における後述の個人コンテンツ管理ＤＢ６００１で管理されている個人端末２毎のデータと同じである。例えば、個人端末２ａは、コンテンツ管理サーバ６で管理されている各個人端末２のデータのうち、個人端末２ａ用のデータを取得して、個人コンテンツ管理ＤＢ２００１ａで管理する。
【００３４】
また、個人コンテンツ管理テーブルでは、イベントＩＤ毎に、個人電子キャンパスのアクセス位置（場所）を特定するためのＵＲＬ(Uniform Resource Locator)及びこの個人電子キャンパスの利用者を識別するための利用者ＩＤが特定され、更に、コンテンツＩＤ、コンテンツのデータ、コンテンツの表示位置情報、及びコンテンツの作成日時が関連付けて管理されている。これらのうち、イベントＩＤは、各イベントを識別するためのイベント識別情報の一例である。コンテンツＩＤは、各コンテンツを識別するためのコンテンツ識別情報の一例である。コンテンツのデータは、テキストデータ、画面キャプチャ画像等の画像、描画により得られたベクタデータ等のデータである。表示位置情報は、個人電子キャンパスにおけるコンテンツの表示位置を示している。この表示位置は、無限キャンパスである個人電子キャンパス上のどの位置に表示されているかを示している。コンテンツの作成日時は、コンテンツデータが作成された日時を示す。画面キャプチャされた場合には、画面キャプチャされた日時を示す。
【００３５】
なお、ＵＲＬは、位置指定情報の一例である。位置指定情報には、ＵＲＩ(Uniform Resource Identifier)等も含まれる。
【００３６】
（共用コンテンツ管理ＤＢ）
図４（ｂ）は共用コンテンツ管理テーブルの概念図である。個人端末２ａの記憶部２０００ａには、図４（ｂ）に示されているような共用コンテンツ管理テーブルによって構成されている共用コンテンツ管理ＤＢ２００２ａが構築されている。なお、共用コンテンツ管理ＤＢ２００１ａは、ウェブブラウザの表示対象である共用電子キャンパス（ＵＲＬ）毎に、ウェブブラウザのキャッシュに作成されているため、ウェブブラウザが起動している間だけ存在する。
【００３７】
共用コンテンツ管理テーブルで管理されているデータは、コンテンツ管理サーバ６における後述の共用コンテンツ管理ＤＢ６００２で管理されているデータと同じである。例えば、個人端末２ａは、コンテンツ管理サーバ６における共用コンテンツ管理ＤＢ６００２で管理されているデータを取得して、共用コンテンツ管理ＤＢ２００２ａで管理する。
【００３８】
また、共用コンテンツ管理テーブルでは、イベントを識別するためのイベントＩＤ毎に、共用電子キャンパスのアクセス位置（場所）を特定するためのＵＲＬが特定され、更に、コンテンツＩＤ、コンテンツのデータ、コンテンツの表示位置情報、及びコンテンツの作成日時が関連付けて管理されている。イベントＩＤ、コンテンツＩＤ、コンテンツのデータ、コンテンツの表示位置情報、及びコンテンツの作成日時は、個人コンテンツ管理テーブルにおける各データと同じ意味であるため、これらの説明を省略する。
【００３９】
（各機能構成）
次に、個人端末２ａの各機能構成について詳細に説明する。
【００４０】
送受信部２１ａは、通信ネットワーク９を介して、他の端末、装置又はサーバ等と各種データ（または情報）の送受信を行う。例えば、送受信部２１ａは、HTML、CSS(Cascade Style Sheet)、及びJavaScript（登録商標）で記述されたコンテンツのデータをコンテンツ管理サーバ６から受信する。また、送受信部２１ａは、利用者によって入力された操作情報をコンテンツ管理サーバ６に送信する。
【００４１】
受付部２１ａは、利用者によってキーボード２１１及びマウス２１２から、各種入力を受け付ける。
【００４２】
画像処理部２３ａは、例えば、利用者の描画に応じてベクタデータ（又はストロークデータ）を作成する等の処理を行う。また、画像処理部２３ａは、取込部としての機能を有し、例えば、後述の操作表示領域１３２ｃの画面キャプチャを行うことで、画面の画像データを取り込む。
【００４３】
表示制御部２３ａは、ディスプレイ２０８に、各種画像や画面のコンテンツを表示させる。
【００４４】
判断部２５ａは、各種判断を行なう。
【００４５】
記憶・読出処理部２９ａは、図２に示されているＣＰＵ２０１からの命令、並びに、ＨＤＤコントローラ２０５、メディアＩ／Ｆ２０７、及びＣＤ−ＲＷドライブ２１４によって実行され、記憶部２０００ａ、記録メディア２０６、及びＣＤ−ＲＷ２１３に各種データを記憶したり、記憶部２００２、記録メディア２０６、及びＣＤ−ＲＷ２１３から各種データを読み出したりする処理を行う。
【００４６】
通信管理部３０ａは、主に、図２に示されているＣＰＵ２０１からの命令によって実現され、送受信部２１ａ等とデータの入出力を行う。この通信管理部３０ａは、更に、送受信部３１ａ、取込部３３ａ、及び判断部３５ａを有している。これらのうち、送受信部３１ａは、送受信部２１ａとは独立して、通信ネットワーク９を介してコンテンツ管理サーバ６と各種データ（または情報）の送受信を行う。取込部３３ａは、基本的に、画像処理部２３ａの取込部としての機能と同様の機能であり、例えば、後述の操作表示領域１３２ｃの画面キャプチャを行うことで、画面の画像データを取り込む。判断部３５ａは、各種判断を行い、例えば、共有電子スクリーン用の操作表示領域１３２ａが個人端末２ａのディスプレイ２０８上で表示されているか否かを判断する。
【００４７】
なお、個人端末２ｂ，２ｃは、それぞれ、送受信部２１ｂ，２１ｃ、受付部２２ｂ，２２ｃ、画像処理部２３ｂ，２３ｃ、表示制御部２４ｂ，２４ｃ、判断部２５ｂ，２５ｃ、記憶・読出処理部２９ｂ，２９ｃ、及び通信管理部３０ｂ，３０ｃを有している。これら各部は、図２に示されている各構成要素のいずれかが、ＨＤ２０４からＲＡＭ２０３上に展開されたプログラムに従ったＣＰＵ２０１からの命令によって動作することで実現される機能、又は機能する手段である。また、個人端末２ｂ，２ｃは、図２に示されているＲＡＭ２０３及びＨＤ２０４によって構築される記憶部２０００ｂ，２０００ｃを有している。送受信部２１ｂ，２１ｃ、受付部２２ｂ，２２ｃ、画像処理部２３ｂ，２３ｃ、表示制御部２４ｂ，２４ｃ、判断部２５ｂ，２５ｃ、記憶・読出処理部２９ｂ，２９ｃ、通信管理部３０ｂ，３０ｃ及び、記憶部２０００ｂ，２０００ｃは、個人端末２ａにおける、送受信部２１ａ、受付部２２ａ、画像処理部２３ａ、表示制御部２４ａ、判断部２５ａ、記憶・読出処理部２９ａ、及び通信管理部３０ｂ，３０ｃ及び記憶部２０００ａと同様であるため、説明を省略する。なお、通信管理部３０ｂ，３０ｃにおける送受信部３１ｂ，３１ｃ、取込部３３ｂ，３３ｃ、及び判断部３５ｂ，３５ｃも、それぞれ、通信管理部３０ａにおける送受信部３１ａ、取込部３３ａ、及び判断部３５ａと同様の機能であるため、その説明を省略する。
【００４８】
また、個人端末２ｂの記憶部２０００ｂには、個人コンテンツ管理ＤＢ２００１ｂ，２００２ｂが構築されている。個人端末２ｃの記憶部２０００ｃには、個人コンテンツ管理ＤＢ２００１ｃ，２００２ｃが構築されている。個人コンテンツ管理ＤＢ２００１ｂ，２００１ｃ、及び、共用コンテンツ管理ＤＢ２００２ｂ，２００２ｃは、それぞれ個人コンテンツ管理ＤＢ２００１ａ、及び共用コンテンツ管理ＤＢ２００１ａと同様のデータ構造であるため、説明を省略する。
【００４９】
＜＜共用端末の機能構成＞＞
続いて、共用端末４の機能構成について説明する。図３に示されているように、共用端末４は、送受信部４１、受付部４２、画像処理部４３、表示制御部４４、判断部４５、記憶・読出処理部４９、及び通信管理部５０を有している。これら各部は、図２に示されている各構成要素のいずれかが、ＨＤ４０４からＲＡＭ４０３上に展開されたプログラムに従ったＣＰＵ４０１からの命令によって動作することで実現される機能、又は機能する手段である。また、共用端末４は、図２に示されているＲＡＭ４０３及びＨＤ４０４によって構築される記憶部４０００を有している。共用端末４における、送受信部４１、受付部４２、画像処理部４３、表示制御部４４、判断部４５、記憶・読出処理部４９、通信管理部５０、及び記憶部４０００は、それぞれ、個人端末２ａにおける、送受信部２１ａ、受付部２２ａ、画像処理部２３ａ、表示制御部２４ａ、判断部２５ａ、記憶・読出処理部２９ａ、通信管理部３０及び記憶部２０００ａと同様であるため、説明を省略する。更に、通信管理部３０は、送受信部５１、取込部５３、及び判断部５５を有しているが、それぞれ送受信部３１ａ、取込部３３ａ、及び判断部３５ａと同様の機能であるため、説明を省略する。
【００５０】
また、共用端末４の記憶部４０００には、共用コンテンツ管理ＤＢ４００２が構築されている。共用コンテンツ管理ＤＢ４００２は、個人端末２ａの共用コンテンツ管理ＤＢ２００２ａと同様のデータ構造であるため、説明を省略する。
【００５１】
なお、送受信部４１、受付部４２、画像処理部４３、表示制御部４４、判断部４５、及び記憶・読出処理部４９は、後述の操作表示領域を表示させるウェブブラウザ（のウェブアプリケーション）によって実現される。また、通信管理部５０は、専用の通信アプリケーションによって実現される。
【００５２】
＜＜コンテンツ管理サーバの機能構成＞＞
続いて、コンテンツ管理サーバ６の機能構成について説明する。図３に示されているように、コンテンツ管理サーバ６は、送受信部６１、画像処理部６３、作成部６４、判断部６５、及び記憶・読出処理部６９を有している。これら各部は、図２に示されている各構成要素のいずれかが、ＨＤ６０４からＲＡＭ６０３上に展開されたプログラムに従ったＣＰＵ６０１からの命令によって動作することで実現される機能、又は機能する手段である。また、コンテンツ管理サーバ６は、図２に示されているＲＡＭ６０３及びＨＤ６０４によって構築される記憶部６０００を有している。
【００５３】
また、コンテンツ管理サーバ６の記憶部６０００には、個人コンテンツ管理ＤＢ６００１、及び共用コンテンツ管理ＤＢ６００２が構築されている。個人コンテンツ管理ＤＢ６００１、及び共用コンテンツ管理ＤＢ６００２は、それぞれ個人コンテンツ管理ＤＢ２００１ａ、及び共用コンテンツ管理ＤＢ２００１ａと同様のデータ構造であるため、説明を省略する。
但し、個人コンテンツ管理ＤＢ２００１は、個人コンテンツ管理ＤＢ２００１ａ，２００１ｂ，２００１ｃの全てデータを有している。また、共用コンテンツ管理ＤＢ６００１は、共用コンテンツ管理ＤＢ２００２ａ，２００２ｂ，２００２ｃ及び共用コンテンツ管理ＤＢ４００２の全てデータを有している。
【００５４】
（イベント情報管理ＤＢ）
図４（ｃ）はイベント情報管理テーブルの概念図である。コンテンツ管理サーバ６の記憶部６０００には、図４（ｃ）に示されているようなイベント情報管理テーブルによって構成されているイベント情報管理ＤＢ６００３が構築されている。イベント情報管理テーブルで管理されるデータは、予定が登録されたサーバから取得されたり、会議等の際に主催者等によって登録されたりする。
【００５５】
イベント情報管理テーブルには、イベント情報が管理されている。イベント情報は、イベントＩＤ、イベント名、開催日時、開催場所、主催者ＩＤ（及び主催者名）、及び参加者ＩＤ（及び参加者名）が関連付けられた情報である。これらのうち、イベントＩＤは、会議や打合せ等のイベントを識別するためのイベント識別情報の一例である。イベント名は、会議や打合せ等の名称を示す。開催日時は、イベントの開催日時を示す。開催場所は、イベントの開催場所を示す。主催者ＩＤは、イベントの主催者を識別するための主催者識別情報の一例である。主催者名は、主催者の氏名を示す。参加者ＩＤは、イベントの参加者（主催者を除く）を識別するための参加者識別情報の一例である。参加者名は、参加者の氏名を示す。
【００５６】
（各機能構成）
次に、コンテンツ管理サーバ６の各機能構成について詳細に説明する。
【００５７】
送受信部６１は、通信ネットワーク９を介して、他の端末、装置又はサーバ等と各種データ（または情報）の送受信を行う。
【００５８】
画像処理部６３は、取込部としての機能を有し、例えば、後述の共用電子キャンパスｃｃに対する画面キャプチャを行うことで、画面の画像データを取り込む。
【００５９】
作成部６４は、各種データ（情報）を作成する。作成部６４は、例えば、固有のコンテンツＩＤ等を作成する。
【００６０】
判断部６５は、各種判断を行う。判断部６５は、例えば、送受信部６１によってコンテンツＩＤが受信されたか否か等の判断を行う。
【００６１】
記憶・読出部６９は、図２に示されているＣＰＵ６０１からの命令、並びに、ＨＤＤコントローラ６０５、メディアＩ／Ｆ６０７、及びＣＤ−ＲＷドライブ６１４によって実行され、記憶部６０００、記録メディア６０６、及びＣＤ−ＲＷ６１３に各種データを記憶したり、記憶部６０００、記録メディア６０６、及びＣＤ−ＲＷ６１３から各種データを読み出したりする処理を行う。
【００６２】
なお、上記各プログラムは、ＣＤ−ＲやＤＶＤ−Ｒ等の記録媒体に記録されて、国内又は海外に流通するようにしてもよい。
【００６３】
＜操作表示領域の表示例＞
続いて、図５乃至図７を用いて、各操作表示領域の表示例について説明する。なお、操作表示領域は、GUI(Graphical User Interface)によって、利用者に提示するための情報を表示したり、利用者から操作を受け付けたりするための画面上の領域であり、ウェブブラウザやアプリケーションソフトウェアの表示形態である。操作表示領域としては、例えば、Microsoft Windows(登録商標)等が該当する。操作表示領域１１０は、無限の個人電子キャンパスｄｃにおける任意の領域を表わしている。操作表示領域１２０は、無限の共用電子キャンパスｃｃにおける任意の領域を表わしている。
【００６４】
図５は、個人電子キャンパス表示用の操作表示領域の表示例を示した図である。図５に示されているように、個人電子キャンパス表示用の操作表示領域１１０は、上部の３つのタブのうち、利用者によって「個人電子キャンパス」のタブｔ１が選択されることで表示されている。
【００６５】
また、操作表示領域１１０の左側には、画面移動、描画ペン等の各種機能アイコンからなる機能アイコン部ｆ１０が表示されている。操作表示領域１１０の左下側には、表示される文字等の縮小又は拡大を段階的に指定するためのスライドバーｒｅ１が表示されている。更に、操作表示領域１１０の右下側には、キャプチャボタンｃ１、アップロード用共有ボタンｓｕ１、ダウンロード用共有ボタンｓｄ１、マイナスボタンｒ１、及びプラスボタンｅ１が表示されている。
【００６６】
これらのうち、キャプチャボタンｃ１は、取込部３３ｃが共有電子スクリーン用の操作表示領域に表示する（又は表示した）画面をキャプチャして、この個人電子キャンパス用の操作表示領域１１０に取り込んで表示させるためのボタンである。即ち、共有電子スクリーン用の操作表示領域の画面のキャプチャの開始は、画像データを取り込む側である個人電子キャンパス用の操作表示領域１１０のボタンの押下によって行う。なお、ここでは、キャプチャボタンｃ１は、カメラの形状を示すアイコンで示されている。
【００６７】
アップロード用共有ボタンｓｕ１は、個人端末２のディスプレイ２０８に表示されている全体画面の画像データを、コンテンツ管理サーバ６にアップロードして、共有電子スクリーンｓｓに展開するためのボタンである。ダウンロード用共有ボタンｓｄ１は、共有電子スクリーンｓｓに展開されている画像データを、コンテンツ管理サーバ６からダウンロードして、この個人電子キャンパス用の操作表示領域１１０上に表示させるためのボタンである。マイナスボタンｒ１は、ディスプレイに対する操作表示領域１１０の占める割合を小さくするためのボタンである。プラスボタンｅ１は、ディスプレイに対する操作表示領域１１０の占める割合を大きくするためのボタンである。
【００６８】
図６は、共用電子キャンパス表示用の操作表示領域の表示例を示した図である。図６に示されているように、共用電子キャンパス表示用の操作表示領域１２０は、上部の３つのタブのうち、利用者によって「共用電子キャンパス」のタブｔ２が選択されることで表示されている。
【００６９】
また、操作表示領域１２０の左側には、画面移動、描画ペン等の各種機能アイコンからなる機能アイコン部ｆ２０が表示されている。操作表示領域１２０の左下側には、表示される文字等の縮小又は拡大を段階的に指定するためのスライドバーｒｅ２が表示されている。更に、操作表示領域１２０の右下側には、キャプチャボタンｃ２、アップロード用共有ボタンｓｕ２、ダウンロード用共有ボタンｓｄ２、マイナスボタンｒ２、及びプラスボタンｅ２が表示されている。
【００７０】
これらのうち、キャプチャボタンｃ２は、取込部３３ｃが共有電子スクリーン用の操作表示領域に表示する（又は表示した）画面をキャプチャして、この共用電子キャンパス用の操作表示領域１２０に取り込んで表示させるためのボタンである。即ち、共有電子スクリーン用の操作表示領域の画面のキャプチャの開始は、共画像データを取り込む側である用電子キャンパス用の操作表示領域１２０のボタンの押下によって行う。なお、ここでは、キャプチャボタンｃ２は、カメラの形状を示すアイコンで示されている。
【００７１】
アップロード用共有ボタンｓｕ２は、この共用電子キャンパス用の操作表示領域１２０に表示されている画面の画像データを、コンテンツ管理サーバ６にアップロードして、共有電子スクリーンｓｓに展開するためのボタンである。ダウンロード用共有ボタンｓｄ２は、共有電子スクリーンｓｓに展開されている画像データを、コンテンツ管理サーバ６からダウンロードして、この共用電子キャンパス用の操作表示領域１２０上に表示させるためのボタンである。なお、マイナスボタンｒ２、及びプラスボタンｅ２は、それぞれ、操作表示領域１１０における、機能アイコン部ｆ１０、スライドバーｒｅ１、マイナスボタンｒ１、及びプラスボタンｅ１と同様の役割を果たすため、説明を省略する。
【００７２】
図７は、共有電子スクリーン表示用の操作表示領域の表示例を示した図である。図７に示されているように、共有電子スクリーン表示用の操作表示領域１３０は、上部の３つのタブのうち、利用者によって「共有電子スクリーン」のタブｔ３が選択されることで表示されている。
【００７３】
また、操作表示領域１３０の下側には、キャプチャボタンｃ３、マイナスボタンｒ３、及びプラスボタンｅ３が表示されている。
【００７４】
これらのうち、キャプチャボタンｃ３は、共有電子スクリーン用の操作表示領域に表示された画面をキャプチャして、この共有電子スクリーン用の操作表示領域１２０に取り込んで表示させるためのボタンである。即ち、共有電子スクリーン用の操作表示領域の画面のキャプチャの開始が、画像データを取り込まれる側である共有電子スクリーン用の操作表示領域１３０のボタンの押下によって行われた場合には、取り込む側は共用電子キャンパス用の操作表示領域１２０となる。なお、ここでは、キャプチャボタンｃ３は、カメラの形状を示すアイコンで示されている。
【００７５】
＜処理又は動作＞
続いて、図８乃至図２０を用いて、本実施形態の処理又は動作について説明する。
【００７６】
（第１の処理又は動作の概略）
まずは、図８を用いて、利用者Ｃが個人端末２ｃで、個人電子キャンパス表示用の操作表示領域１１２ｃ上のキャプチャボタンｃ１の押下により、共有電子スクリーンｓｓのコンテンツを個人電子キャンパスｄｃ３にコピーする処理又は動作の概略について説明する。図８は、個人電子キャンパス表示用の操作表示領域上のキャプチャボタンの押下により、共有電子スクリーンのコンテンツを個人電子キャンパスに取り込む処理を示した概念図である。なお、操作表示領域１１２ｃは、無限の個人電子キャンパスｄｃ３における任意の領域を表わしている。
【００７７】
図８では、利用者Ａが個人端末２ａから共有電子スクリーンｓｓに個人端末２ａのディスプレイ２０８に表示されている全体画面の画像データを送信して、個人端末２ｂ，２ｃ及び共用端末４と画面共有した状態を示している。ここでは、全体画面の一例として、テキストデータ「ＲＩ」が入力されている画面が示されている。更に、図８では、利用者Ｃが個人端末２ｃで共有電子スクリーン用の操作表示領域１３２ｃ上に個人端末２ａによって共有されたコンテンツを表示した後、この共有されたコンテンツを利用者Ｃの個人電子キャンパス表示用の操作表示領域１１２ｃ上にコピーして取り込む状態を示している。
【００７８】
なお、本実施形態では、画面全体のコンテンツが特定のコンテンツの一例である。
【００７９】
まず、個人端末２ａでは、操作表示領域１１２ａ上にコンテンツ「ＲＩ」が表示され、この画面全体のコンテンツのデータをコンテンツ管理サーバ６の共有電子スクリーンｓｓに送信する（Ｓ１１）。これにより、コンテンツ管理サーバ６は、記憶部６０００における共有電子スクリーンｓｓ用の記憶領域に画面全体のコンテンツのデータを記憶する。なお、ステップＳ１１によって送信されるデータは、動画データでも静止画データでもよい。
【００８０】
次に、利用者Ｃは、個人端末２ｃで操作表示領域１３２ｃを表示させることで、コンテンツ管理サーバ６に対して、共有電子スクリーンｓｓのコンテンツのデータを要求する（Ｓ１２）。コンテンツ管理サーバ６は、個人端末２ｃに共有電子スクリーンｓｓの画面全体のコンテンツのデータを送信する（Ｓ１３）。これにより、個人端末２ｃでは、ウェブブラウザにより操作表示領域１３２ｃ上に画面全体のコンテンツが表示される。
【００８１】
また、個人端末２ｃでは、個人電子キャンパスｄｃ３の内容を表示させる操作表示領域１１２ｃが表示されている。
【００８２】
この前提状態で、利用者Ｃは、操作表示領域１３２ｃ上に表示されている画面全体のコンテンツを、自分の個人電子キャンパスｄｃ３にコピーするため、操作表示領域１１２ｃ上のキャプチャボタンｃ１を押下することで、操作表示領域１１２ｃとは異なる操作表示領域１３２ｃに対して画面キャプチャを行う（Ｓ１４）。なお、本実施形態では、操作表示領域１３２ｃが第１の操作表示領域の一例であり、操作表示領域１１２ｃが第２の操作表示領域の一例である。
【００８３】
次に、個人端末２ｃは、操作表示領域１１２ｃを表示させるウェブブラウザにより、コンテンツ管理サーバ６に対して、画面キャプチャされた画面全体のコンテンツのデータを送信する（Ｓ１５）。そして、コンテンツ管理サーバ６は、個人端末２ｃに画面全体のコンテンツのデータを送信する（Ｓ１６）。これにより、個人端末２ｃでは、ウェブブラウザにより操作表示領域１１２ｃに画面全体のコンテンツが表示される。
【００８４】
以上より、個人端末２ｃの利用者Ｃが自己の個人端末２ｃで操作表示領域１１２ｃ上のキャプチャボタンｃ１を押下することで、操作表示領域１１２ｃとは別の操作表示領域１３２ｃに表示されている画面を操作表示領域１１２ｃにコピーすることができる。
【００８５】
（第２の処理又は動作の概略）
続いて、図９を用いて、利用者Ｃが個人端末２ｃで、共用電子キャンパス表示用の操作表示領域１２２ｃ上のキャプチャボタンｃ２の押下により、共有電子スクリーンｓｓのコンテンツを共用電子キャンパスｃｃにコピーする処理又は動作の概略について説明する。図９は、共用電子キャンパス表示用の操作表示領域上のキャプチャボタンの押下により、共有電子スクリーンのコンテンツを共用電子キャンパスに取り込む処理を示した概念図である。なお、操作表示領域１２２ｃは、無限の共用電子キャンパスｃｃにおける任意の領域を表わしている。
【００８６】
図９では、利用者Ａが個人端末２ａから共有電子スクリーンｓｓにテキストデータ「ＲＩ」が入力されている画面全体のコンテンツのデータを送信して、個人端末２ｂ，２ｃ及び共用端末４と画面共有した状態を示している。更に、図９では、利用者Ｃが個人端末２ｃで共有電子スクリーン用の操作表示領域１３２ｃ上に個人端末２ａによって共有されたコンテンツを表示した後、この共有されたコンテンツを利用者Ｃの共用電子キャンパス表示用の操作表示領域１２２ｃ上にコピーして取り込む状態を示している。
【００８７】
なお、本実施形態では、画面全体のコンテンツが特定のコンテンツの一例である。また、共有電子スクリーンｓｓへのアクセス先（ＵＲＬ）である記憶部６０００上の記憶位置（記憶領域）が記憶部６０００における第１の位置の一例である。個人電子キャンパスｄｃ３へのアクセス先（ＵＲＬ）である記憶部６０００上の記憶位置（記憶領域）が記憶部６０００における第２の位置の一例である。
【００８８】
まず、個人端末２ａでは、操作表示領域１１２ａ上にコンテンツ「ＲＩ」が表示され、この画面全体のコンテンツのデータをコンテンツ管理サーバ６の共有電子スクリーンｓｓに送信する（Ｓ３１）。これにより、コンテンツ管理サーバ６は、記憶部６０００における共有電子スクリーンｓｓ用の記憶領域に画面全体のコンテンツのデータを記憶する。なお、ステップＳ３１によって送信されるデータは、動画データでも静止画データでもよい。
【００８９】
次に、利用者Ｃは、個人端末２ｃで操作表示領域１３２ｃを表示させることで、コンテンツ管理サーバ６に対して、共有電子スクリーンｓｓのコンテンツのデータを要求する（Ｓ３２）。コンテンツ管理サーバ６は、個人端末２ｃに共有電子スクリーンｓｓの画面全体のコンテンツのデータを送信する（Ｓ３３）。これにより、個人端末２ｃでは、ウェブブラウザにより操作表示領域１３２ｃ上に画面全体のコンテンツが表示される。ここまでは、上記ステップＳ１１〜Ｓ１３と同様の処理である。
【００９０】
また、個人端末２ｃでは、共用電子キャンパスｃｃの内容を表示させる操作表示領域１２２ｃが表示されている。
【００９１】
この前提状態で、利用者Ｃは、操作表示領域１３２ｃ上に表示されている画面全体のコンテンツを、共用電子キャンパスｃｃにコピーするため、操作表示領域１２２ｃ上のキャプチャボタンｃ２を押下することで、操作表示領域１２２ｃとは異なる操作表示領域１３２ｃに対して画面キャプチャを行う（Ｓ３４）。
【００９２】
次に、個人端末２ｃは、操作表示領域１２２ｃを表示させるウェブブラウザにより、コンテンツ管理サーバ６に対して、画面キャプチャされた画面全体のコンテンツのデータを送信する（Ｓ３５）。そして、コンテンツ管理サーバ６は、個人端末２ｃに画面全体のコンテンツのデータを送信する（Ｓ３６）。これにより、個人端末２ｃでは、ウェブブラウザにより操作表示領域１２２ｃに画面全体のコンテンツが表示される。
【００９３】
以上より、個人端末２ｃの利用者Ｃが自己の個人端末２ｃで操作表示領域１２２ｃ上のキャプチャボタンｃ２を押下することで、操作表示領域１２２ｃとは別の操作表示領域１３２ｃに表示されている画面を操作表示領域１２２ｃにコピーすることができる。
【００９４】
（第３の処理又は動作の概略）
続いて、図１０を用いて、利用者Ｃが個人端末２ｃで、共有電子スクリーン表示用の操作表示領域１３２ｃ上のキャプチャボタンｃ３の押下により、共有電子スクリーンｓｓのコンテンツを共用電子キャンパスｃｃにコピーする処理又は動作の概略について説明する。図１０は、共有電子スクリーン表示用の操作表示領域上のキャプチャボタンの押下により、この共有電子スクリーンのコンテンツを共用電子キャンパスに取り込む処理を示した概念図である。
【００９５】
図１０では、利用者Ａが個人端末２ａから共有電子スクリーンｓｓにテキストデータ「ＲＩ」が入力されている画面全体のコンテンツのデータを送信して、個人端末２ｂ，２ｃ及び共用端末４と画面共有した状態を示している。更に、図１０では、利用者Ｃが個人端末２ｃで共有電子スクリーン用の操作表示領域１３２ｃ上に個人端末２ａによって共有されたコンテンツを表示した後、この共有されたコンテンツを利用者Ｃの共用電子キャンパス表示用の操作表示領域１２２ｃ上にコピーして取り込む状態を示している。
【００９６】
まず、個人端末２ａでは、操作表示領域１１２ａ上にコンテンツ「ＲＩ」が表示され、この画面全体のコンテンツのデータをコンテンツ管理サーバ６の共有電子スクリーンｓｓに送信する（Ｓ５１）。これにより、コンテンツ管理サーバ６は、記憶部６０００における共有電子スクリーンｓｓ用の記憶領域に画面全体のコンテンツのデータを記憶する。なお、ステップＳ５１によって送信されるデータは、動画データでも静止画データでもよい。
【００９７】
次に、利用者Ｃは、個人端末２ｃで操作表示領域１３２ｃを表示させることで、コンテンツ管理サーバ６に対して、共有電子スクリーンｓｓのコンテンツのデータを要求する（Ｓ５２）。コンテンツ管理サーバ６は、個人端末２ｃに共有電子スクリーンｓｓの画面全体のコンテンツのデータを送信する（Ｓ５３）。これにより、個人端末２ｃでは、ウェブブラウザにより操作表示領域１３２ｃ上に画面全体のコンテンツが表示される。ここまでは、上記ステップＳ１１〜Ｓ１３（Ｓ３１〜Ｓ３３）と同様の処理である。
【００９８】
また、個人端末２ｃでは、共用電子キャンパスｃｃの内容を表示させる操作表示領域１２２ｃが表示されている。
【００９９】
この前提状態で、利用者Ｃは、操作表示領域１３２ｃ上に表示されている画面全体のコンテンツを、共用電子キャンパスｃｃにコピーするため、操作表示領域１３２ｃ上のキャプチャボタンｃ３を押下することで、この同じ操作表示領域１３２ｃに対して画面キャプチャを行う（Ｓ５４）。
【０１００】
次に、個人端末２ｃは、操作表示領域１２２ｃを表示させるウェブブラウザにより、コンテンツ管理サーバ６に対して、画面キャプチャされた画面全体のコンテンツのデータを送信する（Ｓ５５）。そして、コンテンツ管理サーバ６は、個人端末２ｃに画面全体のコンテンツのデータを送信する（Ｓ６６）。これにより、個人端末２ｃでは、ウェブブラウザにより操作表示領域１２２ｃに画面全体のコンテンツが表示される。
【０１０１】
以上より、個人端末２ｃの利用者Ｃが自己の個人端末２ｃで操作表示領域１３２ｃ上のキャプチャボタンｃ３を押下することで、この操作表示領域１３２ｃに表示されている画面を操作表示領域１２２ｃにコピーすることができる。
【０１０２】
（基本的な処理又は動作の詳細）
続いて、図１１乃至図２０を用いて、基本的な処理又は動作について詳細に説明する。図１１は、コンテンツの入力及び表示の処理を示したシーケンス図である。まず、共有電子スクリーン用の操作表示領域１３２ｃからコンテンツをコピーする処理を説明する前に、ウェブブラウザを利用して個人電子キャンパス用の操作表示領域（ここでは、個人端末２ｃの操作表示領域１１２ｃ）に、文字等の画面要素（画面全体ではない）のコンテンツを表示させる基本的な処理について説明する。
【０１０３】
まず、利用者Ｃが個人端末２ｃで、キーボード２１１及びマウス２１２によって操作表示画面１１２ｃ上の所望の位置に、画面要素（文字等）のコンテンツを入力すると、受付部２２ｃが入力を受け付ける（Ｓ７１）。そして、送受信部２１ｃは、コンテンツ管理サーバ６に対して、画面要素のコンテンツのデータ、及び個人電子キャンパスｄｃ３におけるコンテンツの表示位置を示す表示位置情報ｐ０を送信する（Ｓ７２）。これにより、コンテンツ管理サーバ６の送受信部６１は、コンテンツのデータ及び表示位置情報ｐ０を受信する。
【０１０４】
次に、コンテンツ管理サーバ６では、記憶・読出処理部６９が、個人コンテンツ管理ＤＢ６００１における個人電子キャンパスｄｃ３のＵＲＬが管理されている個人コンテンツ管理テーブルに、コンテンツのデータ及び表示位置情報ｐ０を関連付けて記憶する（Ｓ７３）。そして、作成部６３は、固有のコンテンツＩＤ１０を作成する（Ｓ７４）。
【０１０５】
次に、記憶・読出処理部６９が、ステップＳ７３で記憶したコンテンツデータ及び表示位置情報ｐ０に対して、ステップＳ７４で作成されたコンテンツＩＤ１０を関連付けて記憶する（Ｓ７５）。
【０１０６】
次に、送受信部６１は、個人端末２ｃに対して、個人電子キャンパスを更新する旨の通知である更新通知を送信する（Ｓ７６）。なお、利用者Ｃが複数の個人端末を有し、それぞれから同じ個人電子キャンパス（ＵＲＬ）にアクセスしている場合には、コンテンツ管理サーバ６は、利用者Ｃの複数の個人端末に対して更新通知を送信する。これにより、個人端末２ｃの操作表示領域１１２ｃを表示させるウェブブラウザにおいて、送受信部２１ｃが更新通知を受信する。
【０１０７】
次に、個人端末２ｃの操作表示領域１１２ｃを表示しているウェブブラウザにおいて、送受信部２１ｃが、コンテンツ管理サーバ６に対して、更新されたコンテンツデータ及び表示位置情報の要求を送信する（Ｓ７７）。これにより、コンテンツ管理サーバ６の送受信部６１は、更新通知を受信する。
【０１０８】
次に、コンテンツ管理サーバ６では、記憶・読出処理部６９が、個人コンテンツ管理ＤＢ６００１における個人電子キャンパスｄｃ３用の個人コンテンツ管理テーブルから、更新されたコンテンツに係るコンテンツＩＤ１０、コンテンツのデータ及び表示位置情報ｐ０を読み出す（Ｓ７８）。そして、送受信部６１は、個人端末２ｃに対して、コンテンツＩＤ１０、コンテンツのデータ、表示位置情報ｐ０を送信する（Ｓ７９）。これにより、個人端末２ｃのウェブブラウザにおいて、送受信部２１ｃが、コンテンツＩＤ１０、コンテンツのデータ、表示位置情報ｐ０を受信する。
【０１０９】
次に、個人端末２ｃでは、記憶・読出処理部２９ｃが、個人コンテンツ管理ＤＢ２００１ｃに対して、ステップＳ７９で受信された、コンテンツＩＤ１０、コンテンツのデータ、及び表示位置情報ｐ０を関連付けて記憶する（Ｓ８０）。これにより、個人端末２ｃのウェブブラウザにおいて、表示制御部２４ｃは、操作表示領域１１２ｃ上に画面要素（文字等）であるコンテンツを表示させるように更新する（Ｓ８１）。
【０１１０】
以上より、コンテンツの入力及び表示の処理が終了する。
【０１１１】
（第１の処理又は動作の詳細）
続いて、図１２乃至図１４を用いて、図８に示されている第１の処理又は動作を詳細に説明する。ここでは、個人端末２ｃで上記前提状態より後の処理（Ｓ１４）から詳細に説明する。
【０１１２】
まず、利用者Ｃが個人端末２ｃで、操作表示領域１１２ｃのキャプチャボタンｃ１を押下すると、個人端末２ｃにおけるウェブブラウザ（のウェブアプリ）によって、受付部２２ｃが画面キャプチャの処理を受け付ける（Ｓ１１１）。これにより、受付部２２ｃは、通信管理部３０ｃに対して、画面キャプチャの要求を行う（Ｓ１１２）。この要求には、共有電子スクリーンｓｓのＵＲＬが含まれている。これにより、通信管理部３０ｃが、画面キャプチャの要求を受け付ける。
【０１１３】
次に、通信管理部３０ｃは、画面キャプチャ処理を行う（Ｓ１１３）。ここで、図１３を用いて、画面キャプチャ処理について詳細に説明する。
【０１１４】
まず、通信管理部３０ｃの判断部３５ｃは、共有電子スクリーン用の操作表示領域が表示されているか否かを判断する（Ｓ１０１）。そして、判断部３５ｃが表示されていると判断した場合には、通信管理部３０ｃの取込部３３ｃは、操作表示領域１３２ｃの画面キャプチャを行うことで画面の画像データを取り込む（Ｓ１０２）。一方、ステップＳ１０１において、判断部３５ｃが表示されていないと判断した場合には、ステップＳ１１４〜Ｓ１１６の処理が実行される。即ち、図１２において、通信管理部３０ｃの送受信部３１ｃは、コンテンツ管理サーバ６に対して、共有電子スクリーンｓｓのコンテンツのデータの要求を示す要求情報を送信する（Ｓ１１４）。これにより、コンテンツ管理サーバ６の送受信部６１は、要求情報を受信する。なお、ステップＳ１０１において、共有電子スクリーン用の操作表示領域が表示されていない場合であっても、既に個人端末２ｃが別のタブｔ２として共有電子スクリーン用表示領域を開いている場合には、判断部３５ｃは表示されていると判断する。また、ステップＳ１０２において、共有スクリーン用の操作表示領域が表示されていない場合であっても、すでに個人端末２ｃが取込部３３ｃはキャプチャボタンが押下された個人電子キャンパスに対応する共有スクリーンのURL等の共有スクリーンを特定する情報に基づいて、共有スクリーンに表示される画面を、コンテンツ管理サーバ６から受信し、取り込む。
【０１１５】
そして、コンテンツ管理サーバ６では、記憶・読出処理部６９が、記憶部６０００において、ステップＳ１１１でキャプチャボタンｃ１が押下された操作表示領域１１２ｃで参加している仮想ルームと同じ仮想ルームにおける共有電子スクリーンｓｓ用の記憶位置（記憶領域）からコンテンツのデータを読み出す（Ｓ１１５）。そして、コンテンツ管理サーバ６の送受信部６１は、記憶・読出処理部６９から読み出されたコンテンツのデータを、個人端末２ｃの通信管理部３０ｃに送信する（Ｓ１１６）。これにより、通信管理部３０ｃの送受信部３１ｃがコンテンツのデータを受信する。
【０１１６】
続いて、通信管理部３０ｃは、操作表示領域１１２ｃを表示しているウェブブラウザにより実現される送受信部２１ｃに対して、画面キャプチャ画像のコンテンツのデータを出力する（Ｓ１１７）。これにより、送受信部２１ｃは、画面キャプチャ画像のコンテンツのデータを入力する。
【０１１７】
そして、送受信部２１ｃは、コンテンツ管理サーバ６に対して、画面キャプチャ画像のコンテンツのデータを送信する（Ｓ１１８）。この際、ステップＳ１１３で画面キャプチャされた日時の情報も送信される。なお、画面キャプチャされた日時は、ステップＳ１１１によって画面キャプチャの受け付けが行われた日時であってもよい。これにより、コンテンツ管理サーバの送受信部６１は、画面キャプチャ画像のコンテンツのデータ、及び画面キャプチャ日時の情報を受信する。
【０１１８】
次に、コンテンツ管理サーバ６は、コンテンツのデータの記憶処理を行う（Ｓ１２０）。ここで、図１４を用いて、コンテンツのデータの記憶処理について詳細に説明する。図１４は、コンテンツのデータの記憶処理を示すシーケンス図である。
【０１１９】
図１４に示されているように、コンテンツ管理サーバ６の判断部６５は、キャプチャボタンｃ１，ｃ２，ｃ３のうち、どのキャプチャボタンが押下されたかを判断する（ステップＳ９０）。具体的には、判断部６５は、通信セッションが確立されている操作表示領域１１２ｃを表示させるウェブブラウザによってコンテンツのデータを受信した場合には、キャプチャボタンｃ１が押下されたと判断する。また、判断部６５は、通信セッションが確立されている操作表示領域１２２ｃを表示させるウェブブラウザによってコンテンツのデータを受信した場合には、キャプチャボタンｃ２が押下されたと判断する。更に、判断部６５は、通信セッションが確立されている操作表示領域１３２ｃを表示させるウェブブラウザによってコンテンツのデータを受信した場合には、キャプチャボタンｃ３が押下されたと判断する。
【０１２０】
図１２の処理の場合、判断部６５は、キャプチャボタンｃ１が押下されたと判断する。そして、記憶・読出処理部６９は、個人コンテンツ管理ＤＢ６００１にコンテンツのデータ及び作成日時（ここでは、画面キャプチャされた日時）を記憶する（Ｓ９１）。そして、作成部６３は、固有のコンテンツＩＤ１１を作成する（Ｓ９２）。更に、作成部６３は、個人電子キャンパスｄｃ３における画面キャプチャ画像のコンテンツの表示位置を示す表示位置情報ｐ１を作成する（Ｓ９３）。個人電子キャンパスｄｃ３における画面キャプチャ画像の表示位置は任意であるが、既に画面キャプチャ画像が表示されている場合には、例えば、既に表示されている画面キャプチャ画像の下の位置となる。
【０１２１】
次に、記憶・読出処理部６９が、ステップＳ９１で記憶したコンテンツデータに対して、ステップＳ９２で作成されたコンテンツＩＤ、及びステップＳ９３で作成された表示位置情報ｐ１を関連付けて記憶する（Ｓ９４）。これにより、ステップＳ１２０の処理は終了する。
【０１２２】
次に、上記ステップＳ７６〜Ｓ８１と同様の処理が行われる。即ち、送受信部６１は、個人端末２ｃに対して、個人電子キャンパスを更新する旨の通知である更新通知を送信する（Ｓ１２１）。なお、利用者Ｃが複数の個人端末を有し、それぞれから同じ個人電子キャンパス（ＵＲＬ）にアクセスしている場合には、コンテンツ管理サーバ６は、利用者Ｃの複数の個人端末に対して更新通知を送信する。これにより、個人端末２ｃの操作表示領域１１２ｃを表示させるウェブブラウザにおいて、送受信部２１ｃが更新通知を受信する。
【０１２３】
次に、個人端末２ｃの操作表示領域１１２ｃを表示しているウェブブラウザにおいて、送受信部２１ｃが、コンテンツ管理サーバ６に対して、更新されたコンテンツデータ及び表示位置情報の要求を送信する（Ｓ１２２）。これにより、コンテンツ管理サーバ６の送受信部６１は、更新通知を受信する。
【０１２４】
次に、コンテンツ管理サーバ６では、記憶・読出処理部６９が、個人コンテンツ管理ＤＢ６００１における個人電子キャンパスｄｃ３用の個人コンテンツ管理テーブルから、更新されたコンテンツに係るコンテンツＩＤ１１、コンテンツのデータ及び表示位置情報ｐ１を読み出す（Ｓ１２３）。そして、送受信部６１は、個人端末２ｃに対して、コンテンツＩＤ１１、コンテンツのデータ、表示位置情報ｐ１を送信する（Ｓ１２４）。これにより、個人端末２ｃのウェブブラウザにおいて、送受信部２１ｃが、コンテンツＩＤ１１、コンテンツのデータ、表示位置情報ｐ１を受信する。
【０１２５】
次に、個人端末２ｃでは、記憶・読出処理部２９ｃが、個人コンテンツ管理ＤＢ２００１ｃに対して、ステップＳ１２４で受信された、コンテンツＩＤ１１、コンテンツのデータ、及び表示位置情報ｐ１を関連付けて記憶する（Ｓ１２５）。これにより、個人端末２ｃのウェブブラウザにおいて、表示制御部２４ｃは、操作表示領域１１２ｃ上に画面キャプチャ画像（画面全体）であるコンテンツを表示させるように更新する（Ｓ１２６）。
【０１２６】
以上より、共有電子スクリーン用の操作表示領域１３２ｃに表示された又は表示される全体画像をキャプチャして、個人電子キャンパス用の操作表示領域１１２ｃに表示させることで、利用者Ｃが共有画像を個人画像として取り込むことができる。
【０１２７】
（第２の処理又は動作の詳細）
続いて、図１５を用いて、図９に示されている第２の処理又は動作を詳細に説明する。ここでは、個人端末２ｃで上記前提状態より後の処理（Ｓ３４）から詳細に説明する。なお、第２の処理又は動作は、基本的に第１の処理又は動作と同様であり、操作表示領域１１２ｃ上の操作が操作表示領域１２２ｃ上の操作に置き換わった点が異なる。
【０１２８】
即ち、まず、利用者Ｃが個人端末２ｃで、操作表示領域１２２ｃのキャプチャボタンｃ２を押下すると、個人端末２ｃにおけるウェブブラウザ（のウェブアプリ）によって、受付部２２ｃが画面キャプチャの処理を受け付ける（Ｓ１３１）。これにより、受付部２２ｃは、通信管理部３０ｃに対して、画面キャプチャの要求を行う（Ｓ１３２）。この要求には、共有電子スクリーンｓｓのＵＲＬが含まれている。これにより、通信管理部３０ｃが、画面キャプチャの要求を受け付ける。
【０１２９】
次に、通信管理部３０ｃは、画面キャプチャ処理を行う（Ｓ１３３）。この処理は、図１３で示した処理と同様であるため、その説明を省略する。なお、図１５において、ステップＳ１３４〜Ｓ１３６の処理は、上記ステップ１１４〜Ｓ１１６の処理と同様である。
【０１３０】
続いて、通信管理部３０ｃは、操作表示領域１２２ｃを表示しているウェブブラウザにより実現される送受信部２１ｃに対して、画面キャプチャ画像のコンテンツのデータを出力する（Ｓ１３７）。これにより、送受信部２１ｃは、画面キャプチャ画像のコンテンツのデータを入力する。
【０１３１】
そして、送受信部２１ｃは、コンテンツ管理サーバ６に対して、画面キャプチャ画像のコンテンツのデータを送信する（Ｓ１３８）。この際、ステップＳ１３３で画面キャプチャされた日時の情報も送信される。なお、画面キャプチャされた日時は、ステップＳ１３１によって画面キャプチャの受け付けが行われた日時であってもよい。これにより、コンテンツ管理サーバの送受信部６１は、画面キャプチャ画像のコンテンツのデータ、及び画面キャプチャ日時の情報を受信する。
【０１３２】
次に、コンテンツ管理サーバ６は、コンテンツのデータの記憶処理を行う（Ｓ１４０）。ここで、図１４を用いて、コンテンツのデータの記憶処理について詳細に説明する。
【０１３３】
ステップＳ９０において、図１５の処理の場合、判断部６５は、キャプチャボタンｃ１，ｃ２，ｃ３のうち、キャプチャボタンｃ２が押下されたと判断する。そして、記憶・読出処理部６９は、共用コンテンツ管理ＤＢ６００２にコンテンツのデータ及び作成日時（ここでは、画面キャプチャされた日時）を記憶する（Ｓ９５）。そして、作成部６３は、固有のコンテンツＩＤ１２を作成する（Ｓ９６）。更に、作成部６３は、共用電子キャンパスｃｃにおける画面キャプチャ画像のコンテンツの表示位置を示す表示位置情報ｐ２を作成する（Ｓ９７）。共用電子キャンパスｃｃにおける画面キャプチャ画像の表示位置は任意であるが、既に画面キャプチャ画像が表示されている場合には、例えば、既に表示されている画面キャプチャ画像の下の位置となる。
【０１３４】
次に、記憶・読出処理部６９が、ステップＳ９５で記憶したコンテンツデータに対して、ステップＳ９６で作成されたコンテンツＩＤ、及びステップＳ９７で作成された表示位置情報ｐ２を関連付けて記憶する。これにより、ステップＳ１４０の処理は終了する。
【０１３５】
次に、上記ステップＳ７６〜Ｓ８１（Ｓ１２１〜Ｓ１２６）と同様の処理が行われる。即ち、送受信部６１は、個人端末２ｃに対して、共用電子キャンパスを更新する旨の通知である更新通知を送信する（Ｓ１４１）。なお、複数の個人端末から同じ共用電子キャンパス（ＵＲＬ）にアクセスしている場合には、コンテンツ管理サーバ６は、各個人端末に対して更新通知を送信する。これにより、個人端末２ｃの操作表示領域１２２ｃを表示させるウェブブラウザにおいて、送受信部２１ｃが更新通知を受信する。
【０１３６】
次に、個人端末２ｃの操作表示領域１２２ｃを表示しているウェブブラウザにおいて、送受信部２１ｃが、コンテンツ管理サーバ６に対して、更新されたコンテンツデータ及び表示位置情報の要求を送信する（Ｓ１４２）。これにより、コンテンツ管理サーバ６の送受信部６１は、更新通知を受信する。
【０１３７】
次に、コンテンツ管理サーバ６では、記憶・読出処理部６９が、個人コンテンツ管理ＤＢ６００２における共用個人電子キャンパスｃｃ用の共用コンテンツ管理テーブルから、更新されたコンテンツに係るコンテンツＩＤ１２、コンテンツのデータ及び表示位置情報ｐ２を読み出す（Ｓ１４３）。そして、送受信部６１は、個人端末２ｃに対して、コンテンツＩＤ１２、コンテンツのデータ、表示位置情報ｐ２を送信する（Ｓ１４４）。これにより、個人端末２ｃのウェブブラウザにおいて、送受信部２１ｃが、コンテンツＩＤ１２、コンテンツのデータ、表示位置情報ｐ２を受信する。
【０１３８】
次に、個人端末２ｃでは、記憶・読出処理部２９ｃが、共用コンテンツ管理ＤＢ２００２ｃに対して、ステップＳ１４４で受信された、コンテンツＩＤ１２、コンテンツのデータ、及び表示位置情報ｐ２を関連付けて記憶する（Ｓ１４５）。これにより、個人端末２ｃのウェブブラウザにおいて、表示制御部２４ｃは、操作表示領域１２２ｃ上に画面キャプチャ画像（画面全体）であるコンテンツを表示させるように更新する（Ｓ１４６）。
【０１３９】
以上より、共有電子スクリーン用の操作表示領域１３２ｃに表示された又は表示される全体画像をキャプチャして、共用電子キャンパス用の操作表示領域１２２ｃに表示させることで、利用者Ｃが共有画像を共用画像として取り込むことができる。
【０１４０】
（第３の処理又は動作の詳細）
続いて、図１６を用いて、図１０に示されている第３の処理又は動作を詳細に説明する。ここでは、個人端末２ｃでの上記処理（Ｓ５３）から詳細に説明する。
【０１４１】
まず、コンテンツ管理サーバ６の送受信部６１は、個人端末２ｃに対して、共用電子キャンパスｓｓの画面全体のコンテンツのデータを送信する（Ｓ１５１）。これにより、操作表示領域１３２ｃを表示させるウェブブラウザにおいて、送受信部２１ｃが画面全体のコンテンツのデータを受信する。そして、操作表示領域１３２ｃを表示させるウェブブラウザにおいて、表示制御部２４ｃが、操作表示領域１３２ｃ上に画面全体のコンテンツを表示させる（Ｓ１５２）。
【０１４２】
ここで、利用者Ｃが図７に示されているキャプチャボタンｃ３を押下すると、操作表示領域１３２ｃを表示させるウェブブラウザにおいて、受付部２２ｃが画面キャプチャを受け付ける（Ｓ１５３）。そして、この処理（Ｓ１５４）は、図１３で示した処理と同様であるため、その説明を省略する。但し、判断部２５ｃがステップＳ１０１の処理を行う。また、操作表示領域１３２ｃの画面キャプチャを行うことで画面の画像データを取り込む取込部の機能を有する画像処理部２３ａが、ステップＳ１０２の処理を行う。なお、ステップＳ１５２において、共有電子スクリーン用の操作表示領域が表示されているため、ステップＳ１０１おいて、判断部３５ｃは、表示されていると判断する（ＹＥＳ）。そして、ステップＳ１０２において、操作表示領域１３２ｃを表示させるウェブブラウザにおいて、画像処理部２３ｃが、自己の操作表示領域１３２ｃの画面キャプチャを行う。
【０１４３】
次に、操作表示領域１３２ｃを表示させるウェブブラウザにおいて、送受信部２１ｃは、コンテンツ管理サーバ6に対して、画面キャプチャの画像のコンテンツのデータを送信する（Ｓ１５５）。これにより、コンテンツ管理サーバの送受信部６１は、画面キャプチャ画像のコンテンツのデータを受信する。
【０１４４】
次に、コンテンツ管理サーバ６は、コンテンツのデータの記憶処理を行う（Ｓ１６０）。ここで、図１４を用いて、コンテンツのデータの記憶処理について詳細に説明する。
【０１４５】
ステップＳ９０において、図１６の処理の場合、判断部６５は、キャプチャボタンｃ１，ｃ２，ｃ３のうち、キャプチャボタンｃ３が押下されたと判断する。その後の処理は、ステップＳ９５〜Ｓ９８の処理と同様であるため、それらの説明を省略する。なお、ここでは、コンテンツＩＤ１２及び表示位置情報ｐ２が、それぞれコンテンツＩＤ１３及び表示位置情報ｐ３に置き換わる。
【０１４６】
次に、上記ステップＳ７６〜Ｓ８１（Ｓ１２１〜Ｓ１２６，Ｓ１４１〜Ｓ１４６）と同様の処理が行われる。即ち、送受信部６１は、個人端末２ｃの操作表示領域１２２ｃを表示させるウェブブラウザに対して、共用電子キャンパスを更新する旨の通知である更新通知を送信する（Ｓ１６１）。この場合、コンテンツ管理サーバ６は、遠隔会議に参加中の全ての個人端末２及び共用端末４に対して更新通知を送信する。これにより、個人端末２ｃの操作表示領域１２２ｃを表示させるウェブブラウザにおいて、送受信部２１ｃが更新通知を受信する。なお、第３の処理又は動作においては、第１の処理又は動作におけるステップＳ１１１のように、共有画面の画像を取り込む操作表示領域１１２ｃにおいて画面キャプチャの受け付けが行われているわけではない。そのため、コンテンツ管理サーバ６は、複数の個人電子キャンパスのうち、画面キャプチャの画像を取り込む操作表示領域１１２ｃ用の個人電子キャンパスｄｃ３を特定することができない。しかし、コンテンツ管理サーバ６は、１つの仮想のルームに存在する１つの共用電子キャンパスｃｃであれば特定することができるため、コンテンツ管理サーバ６の送受信部６１は、個人端末２ｃの操作表示領域１２２ｃを表示させるウェブブラウザに対して、共用電子キャンパスを更新する旨の通知である更新通知を送信する。
【０１４７】
次に、個人端末２ｃの操作表示領域１２２ｃを表示しているウェブブラウザにおいて、送受信部２１ｃが、コンテンツ管理サーバ６に対して、更新されたコンテンツデータ及び表示位置情報の要求を送信する（Ｓ１６２）。これにより、コンテンツ管理サーバ６の送受信部６１は、更新通知を受信する。
【０１４８】
次に、コンテンツ管理サーバ６では、記憶・読出処理部６９が、個人コンテンツ管理ＤＢ６００２における共用個人電子キャンパスｃｃ用の共用コンテンツ管理テーブルから、更新されたコンテンツに係るコンテンツＩＤ１３、コンテンツのデータ及び表示位置情報ｐ３を読み出す（Ｓ１６３）。そして、送受信部６１は、個人端末２ｃに対して、コンテンツＩＤ１３、コンテンツのデータ、表示位置情報ｐ３を送信する（Ｓ１６４）。これにより、個人端末２ｃのウェブブラウザにおいて、送受信部２１ｃが、コンテンツＩＤ１３、コンテンツのデータ、表示位置情報ｐ３を受信する。
【０１４９】
次に、個人端末２ｃでは、記憶・読出処理部２９ｃが、共用コンテンツ管理ＤＢ２００２ｃに対して、ステップＳ１６４で受信された、コンテンツＩＤ１３、コンテンツのデータ、及び表示位置情報ｐ３を関連付けて記憶する（Ｓ１６５）。これにより、個人端末２ｃのウェブブラウザにおいて、表示制御部２４ｃは、操作表示領域１２２ｃ上に画面キャプチャ画像（画面全体）であるコンテンツを表示させるように更新する（Ｓ１６６）。
【０１５０】
以上より、共有電子スクリーン用の操作表示領域１３２ｃに表示された全体画像をキャプチャして、共用電子キャンパス用の操作表示領域１２２ｃに表示させることで、利用者Ｃが共有画像を共用画像として取り込むことができる。
【０１５１】
（イベント詳細情報の取得処理又は動作の詳細）
続いて、図１７乃至図２０を用いて、利用者Ａがイベント詳細情報を取得するための処理又は動作について説明する。イベント詳細情報は、例えば、利用者Ａが主催者となった過去のイベントにおいて、図８に示されているように、利用者Ａが共有電子スクリーンＳＳで共有したどの画像データをどの参加者がいつ画面キャプチャしたか等を示す情報である。
【０１５２】
図１７は、イベント詳細情報を表示するための処理を示したシーケンス図である。図１８は、イベント詳細情報の作成処理を示したフローチャートである。図１９は、イベント情報画面の表示例を示した図である。図２０は、イベント詳細情報画面の表示例を示した図である。
【０１５３】
まず、利用者Ａは個人端末２ａを操作することで、受付部２２ａがイベント情報の取得を受け付ける（Ｓ２２１）。そして、送受信部２１ａは、コンテンツ管理サーバ６に対して、イベント情報を取得する要求を送信する（Ｓ２２２）。この要求には、利用者Ａの利用者ＩＤも含まれている。これにより、コンテンツ管理サーバ６の送受信部６１は、イベント情報を取得する要求及び利用者ＩＤを受信する。
【０１５４】
次に、コンテンツ管理サーバ６では、記憶・読出処理部６９が、ステップＳ２２２で受信された利用者ＩＤを検索キーとしてイベント情報管理ＤＢ６００３の主催者ＩＤを検索することにより、この主催者ＩＤを含むイベント情報を全て読み出す（Ｓ２２３）。
【０１５５】
次に、送受信部６１は、要求元の個人端末２ａに対して、ステップＳ２２３で読み出されたイベント情報を送信する（Ｓ２２４）。これにより、個人端末２ａの送受信部２１ａは、利用者Ａが主催者であったイベントに関するイベント情報を受信する。
【０１５６】
次に、表示制御部２４ａは、ディスプレイ２０５に対して、図１９に示されているように、イベント情報画面を表示する（Ｓ２２５）。イベント情報画面の上部には、利用者Ａが主催者となった複数のイベントのうち所望のイベントに絞り込むことで特定のイベントを指定する際に入力するためのキーワード入力欄及び「検索」ボタンが表示されている。また、イベント情報画面の下部には、別の絞り込み方法として、具体的なイベント情報の一部の情報が表示され、イベント名、開催日時、及び開催場所が表示されている。
【０１５７】
次に、利用者Ａは、例えば、イベント名「定例」の「取得」ボタンを押下すると、受付部２２ａがイベントの指定（選択）を受け付ける（Ｓ２２６）。そして、送受信部２１ａは、コンテンツ管理サーバ６に対して、指定されたイベントに関する詳細情報を示したイベント詳細情報を要求する（Ｓ２２７）。この要求には、Ｓ２２８で指定を受け付けられたイベントを識別するためのイベントＩＤが含まれている。これにより、コンテンツ管理サーバ６の送受信部６１は、イベント詳細情報の要求及びイベントＩＤを受信する。
【０１５８】
次に、コンテンツ管理サーバ６では、作成部６４が、イベント詳細情報を作成する（Ｓ２２８）。ここで、図１８を用いて、イベント詳細情報の作成処理を説明する。
【０１５９】
図１８に示されているように、記憶・読出処理部６９は、ステップＳ２２７で受信されたイベントＩＤがイベント情報管理ＤＢ６００３で関連付けられている各参加者ＩＤに基づいて、各参加者の特定のイベント（イベントＩＤで識別される特定のイベント）の個人コンテンツ管理ＤＢ（図４（ａ）参照）を抽出する（Ｓ３０１）。即ち、記憶・読出処理部６９は、イベントＩＤ及び利用者ＩＤ（参加者ＩＤ）の両方が一致する個人コンテンツ管理ＤＢ６００１を抽出する。
【０１６０】
次に、記憶・読出処理部６９は、ステップＳ３０１で抽出された個人コンテンツ管理ＤＢから、コンテンツの種類が（画面キャプチャ）画像を検索する（Ｓ３０２）。
【０１６１】
次に、判断部６５は、画像があるかを判断する（Ｓ３０３）。そして、画像があると判断された場合には（Ｓ３０３；ＹＥＳ）、作成部６４は、あると判断された画像のサムネイルを作成する（Ｓ３０４）。一方、画像がないと判断された場合には（Ｓ３０３；ＮＯ）、作成部６４は、作成対象の画像がないためサムネイルを作成しない。
【０１６２】
次に、判断部６５は、ステップＳ２２７で受信されたイベントＩＤがイベント情報管理ＤＢ６００３で関連付けられている他の参加者ＩＤがあるか、即ち、指定されたイベントに他の参加者がいたかを判断する（Ｓ３０５）。いる場合には（Ｓ３０５；ＹＥＳ）、上記ステップＳ３０１に戻る。いない場合には（Ｓ３０５；ＮＯ）、記憶・読出処理部６９は、イベント情報管理ＤＢ６００３からステップＳ２２７で受信されたイベントＩＤを含むイベント情報を読み出し、作成部６４がこのイベント情報をステップＳ３０４で作成されたサムネイルに追加することで、イベント詳細情報を作成する（Ｓ３０６）。これにより、ステップＳ２２８の処理は終了する。
【０１６３】
次に、送受信部６１は、要求元の個人端末２ａに対して、ステップＳ２２８で作成されたイベント詳細情報を送信する（Ｓ２２９）。これにより、個人端末２ａの送受信部２１ａは、イベント詳細情報を受信する。
【０１６４】
次に、個人端末２ａでは、表示制御部２４ａが、ディスプレイ２０８に対して、図２０に示されているように、イベント詳細情報画面を表示させる（Ｓ２３０）。イベント詳細情報画面の上部には、開催情報が表示されている。開催情報には、イベント情報の一部の情報であり、イベント名、開催日時、開催場所、主催者名、及び参加者名が含まれている。また、イベント詳細情報画面の下部には、キャプチャ情報が表示されている。キャプチャ情報には、キャプチャ時間（作成時間）順に、サムネイル、及びサムネイル毎のキャプチャ回数が含まれている。この場合、上述したステップＳ３０４でサムネイルの生成を行う前に、同じ特定のイベント（イベントＩＤで識別される特定のイベント）において、サムネイルの生成を行う対象となっている画面キャプチャ画像と同じ画面キャプチャの画像サムネイルがすでに作成されているかを判断部６５が判断する。判断部６５が同じ画面キャプチャの画像サムネイルが作成されいないと判断した場合には作成部６４はサムネイルを作成し、記憶・読出処理部６９が作成したサムネイルとキャプチャ回数「１」を対応付けて記憶する。判断部６５が同じ画面キャプチャ画像のサムネイルがあると判断した場合には、同じ画面キャプチャの画像のサムネイルに対応付けられたキャプチャ回数をカウントアップし、記憶・読出処理部６９が更新されたキャプチャ回数をサムネイルと対応付けて記憶する。なお、画面キャプチャ画像が同一か否かの判断方法は、例えば画像解析を行い、画像の類似度が一定以上であれば同じ画像と判断してもよいし、同じページ番号が含まれていれば同じ画像と判断してもよい。これにより、各画面キャプチャの画像それぞれのキャプチャ回数を判断することが可能となる。さらに、記憶・読出処理部６９は、このサムネイルと対応付けて記憶したキャプチャ回数を取得して、作成部６４がイベント詳細情報を作成し、個人端末２ａにおけるイベント詳細情報画面に表示制御部２４ａがキャプチャ回数を表示する。例えば、利用者Ｂ，Ｃが同じ画像をキャプチャしていた場合には、キャプチャ回数が「２」となる。なお、キャプチャ回数を表示しないようにしてもよい。なお、同一の参加者ＩＤに基づいて抽出された個人コンテンツ管理ＤＢ２００１ａに、２以上の同一の画面キャプチャ画像が存在すると判断された場合、キャプチャ回数のカウントアップは同一と判断される画面キャプチャ画像の個数分ではなく、１回のみとしてもいい。これにより、同じ参加者によって２回以上キャプチャされたとしてもキャプチャ回数は１回のみのカウントになるため、キャプチャの総数ではなく、何人の参加者が同一の画面キャプチャ画像をキャプチャしたかをイベント詳細情報画面に表示することが可能となる。
【０１６５】
また、この状態では、指定されたイベントの全ての参加者によってキャプチャされた画像のサムネイルが示されているが、主催者が参加者名を入力する欄に所望の参加者名を入力して「絞込」ボタンを押下することで、受付部２２ａが参加者名を受けて、表示制御部２４ａが、受け付けられた参加者名に係る参加者のサムネイルを表示することができる。この場合、図１８のステップＳ３０４におけるサムネイルの作成時に、記憶・読出処理部６９が、サムネイルの作成の対象となっている画面キャプチャ画像をキャプチャした参加者の参加者ＩＤを、サムネイルと関連付けて存しておけば良い。そして、図２０に示されているイベント詳細情報画面で受付部２２ａが参加者名を受け付けたとき、作成部６４は、受け付けられた参加者名に対応する参加者ＩＤが関連付けられたサムネイルのみを含むイベント詳細情報を作成し、表示制御部２４ａは、受け付けられた参加者名の参加者がキャプチャした画面キャプチャ画像のサムネイルのみを表示する。また、受付部２２ａが参加者名の入力を受け付けたとき、送受信部２１ａがコンテンツ管理サーバ６に参加者名もしくは参加者ＩＤを送信することで、当該参加者ＩＤに紐付けられたサムネイルをコンテンツ管理サーバ６の送受信部６１から個人端末２ａの送受信部２１ａが受信して、表示制御部２４ａが、参加者名を入力された参加者がキャプチャした画面キャプチャ画像のサムネイルを表示してもいい。また、予めステップＳ２２６で受付部２２ａが選択を受け付けたイベントの全てのサムネイルを、個人端末２ａの送受信部２１ａが受信しておき、送受信部２１ａが受信した全てのサムネイルの中から表示すべきサムネイルを判断部２５ａが判断してもよい。つまり、受付部２２ａが参加者名を受け付けたとき、予め送受信部２１ａが受信しておいた複数のサムネイルの中から受け付けた参加者名に対応する参加者ＩＤと関連付けられたサムネイルを判断部２５ａが判断し、参加者名を入力された参加者がキャプチャした画面キャプチャ画像のサムネイルを表示制御部２４ａが表示してもよい。
【０１６６】
なお、図１８のＳ３０４では、作成部６４が画面キャプチャ画像のサムネイルを生成しているが、必ずしもサムネイルを生成する必要はなく、サムネイルの代わりに画面キャプチャ画像そのものにイベント情報を追加して、イベント詳細情報を作成してもよい。この場合、イベント詳細情報画面のキャプチャ情報には、サムネイルにかえて画面キャプチャの画像が表示される。
【０１６７】
（実施形態の主な効果）
図２０に示されているように、個人端末２は、参加者が実際にキャプチャした主催者の画像をサムネイルで表示することができる。よって、参加者が注目している画像をより正確に特定することができるという効果を奏する。これにより、主催者は、今後の会議等での発言や資料作成の参考にすることができるという効果を奏する。さらに、イベントで参加者がキャプチャしたコンテンツを表すサムネイルや、キャプチャされた画像を表示することで、主催者は、より直観的にどのコンテンツが着目されたか、確認することができるという効果を奏する。例えば、コンテンツを特定するコンテンツＩＤや、画面キャプチャ画像を特定するためのキャプチャ画像ＩＤを表示することも可能であるが、コンテンツＩＤやキャプチャ画像ＩＤのみでは、どのコンテンツを指しているのか分かりにくい。これに対し、サムネイルや画面キャプチャされた画像等を表示することで、コンテンツの識別が容易となる。
【０１６８】
また、図２０に示されているように、個人端末２は、サムネイル毎にキャプチャ回数を表示することができる。これにより、主催者は、どの画像が多くの参加者に注目されているかを把握することができ、今後の会議等での発言や資料作成の参考にすることができるという効果を奏する。更に、図２０に示されているように、個人端末２は、参加者名を入力して参加者を絞り込むことができる。これにより、主催者は、特定の参加者がキャプチャした自己の画像をサムネイルで把握することができ、今後の会議等での発言や資料作成の参考にすることができるという効果を奏する。
【０１６９】
また、個人端末２ｃにおいて、利用者Ｃが、一方の操作表示領域１３２ｃから他方の操作表示領域１１２ｃ，１２２ｃに画面の画像（コンテンツ）を取り込む動作に時間を掛けていると、会議等の会話を聞き逃してしまう。通信ネットワークを介した遠隔会議等で会話を聞き逃してしまうと、再度、遠隔の相手に話してもらう場合、現実の会議室のようにスムーズに相手に伝えづらい。これに対して、本実施形態によれば、利用者Ｃは、キャプチャボタンｃ１、ｃ２、ｃ３を押下するだけで、画面の画像を取り込むことができる。これにより、会議等の会話を聞き逃してしまうという問題を解消することができる。特に、共用電子キャンパス及び個人電子キャンパスは共有電子スクリーンと予め対応づけられているため、利用者Ｃは共有電子スクリーンのURL等を指定する必要はなく、迅速に取り込みができる。
【０１７０】
〔その他の実施形態〕
以上、本発明を実施形態について説明したが、本発明はこうした実施形態に何等限定されるものではなく、本発明の要旨を逸脱しない範囲内において種々の変形及び置換を加えることができる。
【０１７１】
上記実施形態において、個人端末２ａからイベント情報取得の要求（Ｓ２２２参照）、及びイベント詳細情報の要求（Ｓ２２７参照）を行ったが、共用端末４又はこれ以外のＰＣ等の情報処理端末から行ってもよい。即ち、個人端末は、イベント情報取得の要求及びイベント詳細情報の要求を行う情報処理端末の一例である。
【０１７２】
上記実施形態では、サムネイルはキャプチャ画像を特定するための特定情報の一例である。特定情報には、サムネイル以外に、イベントの特定の時間を示す時間情報が含まれる。
【０１７３】
また、特定情報に含まれるサムネイルのかわりに、画面キャプチャの画像そのもの等、キャプチャ画像を視覚的に特定できる他の画像でもよい。さらに、サムネイルのかわりに、画面キャプチャの画像を識別するキャプチャ画像ＩＤ等でもよい。また、サムネイルに代わって、あるいは、サムネイルとともに、画面キャプチャの画像に含まれるページ番号等を特定情報に含め、イベント詳細情報画面に画面キャプチャの画像に含まれるページ番号等を表示してもよい。
【０１７４】
上記各実施形態では、キャプチャボタンｃ１、ｃ２、ｃ３は、カメラの形状を示すアイコンで示されているが、これらは、「受付情報」の一例である。受付情報は、アイコンのような画像だけでなく、「キャプチャ」等の文字や矢印、又はアイコンと文字等の組み合わせたものであってもよい。
【０１７５】
また、本実施形態ではＨＴＭＬのＣａｎｖａｓ要素を使用して説明したが、ＷｅｂＧＬ、ＳＶＧ（Scalable Vector Graphics）、ＦＬＡＳＨ（登録商標）等をしようしてもよい。
【０１７６】
また、上記実施形態では、１つのウェブブラウザによって、２つの操作表示領域が表示されているが、２つのウェブブラウザ（第１のウェブブラウザ、第２のウェブブラウザ）が、それぞれ操作表示領域（第１の操作表示領域、第２の操作表示領域）を表示させるようにしてもよい。また、２つの操作表示領域ではなく、３つ以上のウェブブラウザがそれぞれ操作表示領域（この場合、操作表示領域も３つ以上）を表示するようにしてもよい。更に、１つのウェブブラウザが、３つ以上の操作表示領域を表示するようにしてもよい。
【０１７７】
上記各実施形態では、個人電子キャンパス及び共用電子キャンパスは、無限の電子キャンパスとして説明したが、これに限らず有限の電子キャンパスであってもよい。
【０１７８】
また、個人電子キャンパスは、個人端末２のディスプレイ２０８の表示可能範囲内で表示される限定的な有限の電子キャンパスであってもよい。同じく、共用電子キャンパスは、共用端末４のディスプレイ４０８の表示可能範囲内で表示される限定的な有限の電子キャンパスであってもよい。
【０１７９】
上記各実施形態では、個人端末２及び共用端末４と、コンテンツ管理サーバ６との通信経路間に、他の端末又は他のサーバがデータ（又は情報）を中継することが開示されていないが、他の端末又は他のサーバがデータ（又は情報）を中継してもよい。
【０１８０】
図２に示されているＣＰＵ２０１，４０１，６０１は、それぞれ単一であっても複数であってもよい。
【０１８１】
また、図１において、共用端末４及び共用電子キャンパスｃｃは、無くてもよい。
【０１８２】
更に、上記で説明した実施形態の各機能（図３参照）は、一又は複数の処理回路によって実現することが可能である。ここで、「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュール等のデバイスを含むものとする。
【符号の説明】
【０１８３】
２ａ、２ｂ、２ｃ  個人端末（情報処理端末の一例）
４  共用端末（情報処理端末の一例）
６  コンテンツ管理サーバ
２１ａ、２１ｂ、２１ｃ  送受信部
２２ａ、２２ｂ、２２ｃ  受付部
２３ａ、２３ｂ、２３ｃ  画像処理部（取込手段の一例）
２４ａ、２４ｂ、２４ｂ  表示制御部
２５ａ、２５ｂ、２５ｃ  判断部
２９ａ、２９ｂ、２９ｃ  記憶・読出処理部
３０ａ、３０ｂ、３０ｃ  通信管理部
３１ａ、３１ｂ、３１ｃ  送受信部
３３ａ、３３ｂ、３３ｃ  取込部（取込手段の一例）
３５ａ、３５ｂ、３５ｃ  判断部
４１  送受信部
４２  受付部
４３  画像処理部（取込手段の一例）
４４  表示制御部
４５  判断部
４９  記憶・読出処理部
５０  通信管理部
５１  送受信部
５３  取込部（取込手段の一例）
５５  判断部（判断手段の一例）
６１  送受信部（送信手段の一例、受信手段の一例）
６３  画像処理部
６４  作成部（作成手段の一例）
６５  判断部（判断手段の一例）
６９  記憶・読出処理部
２０００  記憶部
２００１  個人コンテンツ管理ＤＢ
２００２  共用コンテンツ管理ＤＢ
４０００  記憶部
４００２  共用コンテンツ管理ＤＢ
６０００  記憶部
６００１  個人コンテンツ管理ＤＢ
６００２  共用コンテンツ管理ＤＢ
６００４  イベント情報管理ＤＢ（イベント情報管理手段の一例）
【先行技術文献】
【特許文献】
【０１８４】
【特許文献１】特開２０１４−２２９８５号公報
【特許文献２】特開２００８−３９６８号公報
【図１】
2020109954.tif 000003
【図２】
2020109954.tif 000004
【図３】
2020109954.tif 000005
【図４】
2020109954.tif 000006
【図５】
2020109954.tif 000007
【図６】
2020109954.tif 000008
【図７】
2020109954.tif 000009
【図８】
2020109954.tif 000010
【図９】
2020109954.tif 000011
【図１０】
2020109954.tif 000012
【図１１】
2020109954.tif 000013
【図１２】
2020109954.tif 000014
【図１３】
2020109954.tif 000015
【図１４】
2020109954.tif 000016
【図１５】
2020109954.tif 000017
【図１６】
2020109954.tif 000018
【図１７】
2020109954.tif 000019
【図１８】
2020109954.tif 000020
【図１９】
2020109954.tif 000021
【図２０】
2020109954.tif 000022